(57)【要約】【課題】  回路基板を隔離して配置することにより、回路密集部における発熱を抑制する携帯電話機を提供する。【解決手段】  発熱量の多い無線回路６を実装する電気基板３と、同じく発熱量の多い充電回路２を実装する充電回路基板５とを電池４を介して配置することにより、下部筐体１ｂに実装される発熱部位の密集を回避し、携帯電話機１の部分的な高温化を防止することができる。また、フレキシブル基板１１をコネクタ９が実装された電気基板３の面から見て背面側となる電池４の面上を通じて充電回路基板５に接続することにより、下部筐体１ｂが変形した場合であっても、両基板間においてフレキシブル基板１１が引っ張られ、コネクタ９の電気基板３からの脱落を防止する。【選択図】  図２
2007028094.tif 000002
【特許請求の範囲】
【請求項１】
電池と、充電回路を実装する充電回路基板と、無線回路を実装する無線回路基板とを同一筐体内に搭載する携帯電話機において、
前記充電回路基板と前記無線回路基板とが前記電池を間に挟んで配置されていることを特徴とする携帯電話機。
【請求項２】
前記充電回路基板と前記無線回路基板とがフレキシブル基板によって接続されていることを特徴とする請求項１記載の携帯電話機。
【請求項３】
前記充電回路基板と前記無線回路基板とがリード線によって接続されていることを特徴とする請求項１記載の携帯電話機。
【請求項４】
前記無線回路基板と、前記フレキシブル基板又は前記リード線とが着脱可能なコネクタにより接続されることを特徴とする請求項２又は３記載の携帯電話機。
【請求項５】
前記フレキシブル基板又は前記リード線は、前記コネクタと前記電池表面に配置される部位との間に弛みを有することを特徴とする請求項４記載の携帯電話機。
【請求項６】
前記弛みは、前記無線回路基板の前記コネクタが実装された面の背面側に位置することを特徴とする請求項５記載の携帯電話機。
【請求項７】
前記弛みは、前記無線回路基板の前記コネクタが実装された面側に位置することを特徴とする請求項５記載の携帯電話機。
【請求項８】
前記フレキシブル基板又は前記リード線は、前記無線回路基板の前記コネクタが実装された面の背面側に配置されることを特徴とする請求項４から７のいずれか１項記載の携帯電話機。
【請求項９】
前記フレキシブル基板又は前記リード線は、前記無線回路基板の前記コネクタが実装された面側に配置されることを特徴とする請求項７記載の携帯電話機。
【請求項１０】
前記フレキシブル基板又は前記リード線は、前記電池の膨張する部分を迂回して配置されることを特徴とする請求項２から９のいずれか１項記載の携帯電話機。
【請求項１１】
前記フレキシブル基板又は前記リード線は、前記電池表面の中心部を迂回するコの字形状であることを特徴とする請求項１０記載の携帯電話機。
【請求項１２】
前記充電回路基板と、前記フレキシブル基板又は前記リード線とがコネクタにより接続されることを特徴とする請求項２又は３記載の携帯電話機。
【発明の詳細な説明】
【技術分野】
【０００１】
本発明は、携帯電話機に関し、特に、複数の回路を有し、かつ小型化された携帯電話機に関する。
【背景技術】
【０００２】
図１４及び図１５は、従来の携帯電話機の一例を示す斜視図、および下部筐体の断面図である。図において、携帯電話機は上部筐体１ａ、及び下部筐体１ｂより構成され、上部筐体１ａには通信先の音声を受話する受話器１２、および時刻や各種情報を表示する表示部１４が設けられている。また、下部筐体１ｂには各種キーボタンからなるキー操作部１５、及び通信先に音声を送話する送話器１６が設けられている。上部筐体１ａと下部筐体１ｂとは開閉自由な結合部であるヒンジ部１ｃにより結合されている。さらに下部筐体１ｂには、携帯電話機を駆動する電池４及び充電回路２、及び発熱量の大きい無線回路６として、相手方無線機に送信信号を送出する電力増幅器等が実装されている。また、上部筐体１ａに配設された受話器１２及び表示部１４と、下部筐体１ｂに設けられたキー操作部１５とは、図示しないケーブル等により電気的に接続される。なお、充電回路２と無線回路６とは、同一の電気基板３上に設けられている。
【０００３】
特許文献１及び２では、上部筐体と、前記上部筐体と略同じ大きさの下部筐体とをヒンジ部を介して折り畳み可能に接続した携帯無線機であって、前記上部筐体は、各種情報を表示する表示部と、通話相手の音声を受話する受話器とを有し、前記下部筐体は、前記携帯無線機を駆動する電池と、音声を通話相手に送信する送話器と、キーボタンを有するキー操作部とを有することにより、手で持った際の重量バランスから安定感のある保持が可能となり、常に、下部筐体を持つことにより、携帯無線機を保持するため、キー操作時に、上部および下部の筐体を持ちかえる必要性がない携帯無線機が提案されている。
【０００４】
特許文献３では、表示部を有する上部筐体と、操作部を有する下部筐体とがヒンジ部を介して回転可能に結合された折畳式携帯電話装置であって、上部筐体に対向する対抗面側に操作部を設け、この操作部の下側にスペーサを介装して回路基板と電池とを配置することにより、小型・薄型化に伴うキー押しや曲げ・ねじりなどに対して、スペーサで応力を支えるため、回路基板等の損傷を防止することができる折畳式携帯電話装置が提案されている。
【０００５】
特許文献４では、液晶表示器を含む各種電子部品を収容した一方の筐体と、液晶表示器を含む各種電子部品への給電を行うためのバッテリと各種電子部品を制御する制御部を実装するための主基板とを収容した他方の筐体と、各筐体を回動自在に連結したヒンジ部とを備えた折畳式携帯電話装置であって、液晶ホルダを介して前記液晶表示器を固定して保持するために一方の筐体内部に設けたユニット基板と、一方の筐体内部において各種電子部品を各ホルダを介して着脱可能に取り付けユニット基板に積層状態で保持させる実装部と実装部から引出されヒンジ部内部を介して他方の筐体内部においてバッテリ又は制御部と接続される接続部とを有するフレキシブル基板とを備えた折畳式携帯電子機器が提案されている。
【０００６】
特許文献５では、アンテナ板、送受信用回路基板、薄型スピーカおよびマイクロホン、ならびに送受信用回路基板に接続されたアクセスボタン、外線選局スイッチ、シート状のキーボード等を二つのブロックに分けてケース本体部およびこれに開閉可能にヒンジ結合された蓋部内にそれぞれ収納配置するとともに、両ブロックをシート状ケーブルで電気的に接続することにより、小型化を図った携帯用電話装置が提案されている。
【特許文献１】特開２０００−３５４０９４号公報
【特許文献２】特開２００３−４６６２５号公報
【特許文献３】特開２００３−２２９９３８号公報
【特許文献４】特開２００４−１５９１７３号公報
【特許文献５】特開昭６３−１２９７５５号公報
【発明の開示】
【発明が解決しようとする課題】
【０００７】
しかし、上記の発明は以下の問題を有している。
【０００８】
図１４及び図１５に示す携帯電話機においては、ともに発熱量の多い充電回路２と無線回路６とが同一の基板（電気基板３）上に搭載されているため、各回路で発生した熱が分散されにくい。また、近年、携帯電話機の小型化が進んでいるため、充電回路２と無線回路６とが近接する図１５に示す構成においては、熱が集中し易く、高温になり易い。また、特許文献１及び２記載の携帯無線機においても、無線回路基板と電池ボックスとが近接して設けられているため、熱が集中し易く、高温になり易い。
【０００９】
また、従来の携帯電話機の充電回路２を搭載する基板と無線回路６を搭載する基板とが、ケーブル及びコネクタにより電気的に接続されている構成においては、落下等により携帯電話機が変形した場合や電池への充電の繰り返しにより電池が膨張した場合等に、該コネクタが基板から離脱する可能性がある。
【００１０】
そこで、本発明は、無線回路等を搭載するメインの電気基板と分離した別基板に充電回路を搭載し、かつメインの電気基板と電池と充電回路基板を並列に配置して、フレキシブル基板によりメインの電気基板と充電回路用基板を電気的に接続することにより、携帯電話機の小型化、発熱する電気部品の密集を避けることができる携帯電話機を提案することを目的としている。
【課題を解決するための手段】
【００１１】
請求項１記載の発明は、電池と、充電回路を実装する充電回路基板と、無線回路を実装する無線回路基板とを同一筐体内に搭載する携帯電話機において、前記充電回路基板と前記無線回路基板とが前記電池を間に挟んで配置されていることを特徴とする。
【００１２】
請求項１記載の発明によれば、無線回路等を搭載するメインの電気基板と別基板に充電回路を搭載し、このメインの電気基板と充電回路用基板の間に電池を配置することにより、発熱量の多い回路を隔離し、携帯電話機の小型化及び発熱の集中を抑制することできる。
【００１３】
請求項２記載の発明は、請求項１記載の携帯電話機において、前記充電回路基板と前記無線回路基板とがフレキシブル基板によって接続されていることを特徴とする。
【００１４】
請求項２記載の発明によれば、フレキシブル基板によりメインの電気基板と充電回路用基板をつなぎ、フレキシブル基板を電池の表面に配置し、ともに発熱量の多い無線回路部品と充電回路部品の距離をおいて配置することにより、発熱の集中を抑制し、かつ各基板の配置の自由度を向上させることができる。
【００１５】
請求項３記載の発明は、請求項１記載の携帯電話機において、前記充電回路基板と前記無線回路基板とがリード線によって接続されていることを特徴とする。
【００１６】
請求項４記載の発明は、請求項２又は３記載の携帯電話機において、前記無線回路基板と、前記フレキシブル基板又は前記リード線とが着脱可能なコネクタにより接続されることを特徴とする。
【００１７】
請求項５記載の発明は、請求項４記載の携帯電話機において、前記フレキシブル基板又は前記リード線は、前記コネクタと前記電池表面に配置される部位との間に弛みを有することを特徴とする。
【００１８】
請求項６記載の発明は、請求項５記載の携帯電話機において、前記弛みは、前記無線回路基板の前記コネクタが実装された面の背面側に位置することを特徴とする。
【００１９】
請求項７記載の発明は、請求項５記載の携帯電話機において、前記弛みは、前記無線回路基板の前記コネクタが実装された面側に位置することを特徴とする。
【００２０】
請求項５から７記載の発明によれば、メインの電気基板と電池上に配置されたフレキシブル基板との間に弛みを持たせることにより、携帯電話機が落下等によって変形した場合における電気基板からのコネクタの脱落をより効果的に防止することができる。
【００２１】
請求項８記載の発明は、請求項４から７のいずれか１項記載の携帯電話機において、前記フレキシブル基板又は前記リード線は、前記無線回路基板の前記コネクタが実装された面の背面側に配置されることを特徴とする。
【００２２】
請求項８記載の発明によれば、フレキシブル基板を電気基板との接続用コネクタの配置面と反対側に配置することにより、携帯電話機が落下等によって変形した場合におけるコネクタの脱落を防止することができる。
【００２３】
請求項９記載の発明は、請求項７記載の携帯電話機において、前記フレキシブル基板又は前記リード線は、前記無線回路基板の前記コネクタが実装された面側に配置されることを特徴とする。
【００２４】
請求項９記載の発明によれば、コネクタが設けられた電気基板の面と同一面に弛みを設けることにより、携帯電話機が落下等により変形しても、フレキシブル基板が充電回路基板側に引っ張られないため、コネクタが電気基板から脱落することを防止できる。
【００２５】
請求項１０記載の発明は、請求項２から９のいずれか１項記載の携帯電話機において、前記フレキシブル基板又は前記リード線は、前記電池の膨張する部分を迂回して配置されることを特徴とする。
【００２６】
請求項１１記載の発明は、請求項１０記載の携帯電話機において、前記フレキシブル基板又は前記リード線は、前記電池表面の中心部を迂回するコの字形状であることを特徴とする。
【００２７】
請求項１０及び１１記載の発明によれば、メインの電気基板と充電回路用基板とをつなぐフレキシブル基板を電池の膨れる部分を迂回した配置とすることにより、電池の充電・放電の繰り返しによる中央部の膨張を回避し、携帯電話機の薄型化を実現することができる。
【００２８】
請求項１２記載の発明は、請求項２又は３記載の携帯電話機において、前記充電回路基板と、前記フレキシブル基板又は前記リード線とがコネクタにより接続されることを特徴とする。
【００２９】
請求項１２記載の発明によれば、下部筐体の端部に設けられている充電回路基板にコネクタを実装することにより、携帯電話機の落下等により下部筐体の中央部が変形しても、コネクタが充電回路基板から脱落することを防止できる。
【発明の効果】
【００３０】
本発明によれば、無線回路等を搭載するメインの電気基板と分離した別基板に充電回路を搭載し、かつメインの電気基板と電池と充電回路基板を並列に配置して、フレキシブル基板によりメインの電気基板と充電回路用基板を電気的に接続することにより、携帯電話機の小型化、発熱する電気部品の密集を避けることができる。
【発明を実施するための最良の形態】
【００３１】
以下に本発明の一実施形態に係わる携帯電話機の構成について説明する。
【００３２】
図１は、本実施形態に係わる携帯電話機１の斜視図である。携帯電話機１は、上部筐体１ａ及び下部筐体１ｂを有して構成される。上部筐体１ａには、通信先の音声を受話する受話器１２及び時刻や各種情報を表示する表示部１４が設けられている。また、下部筐体１ｂには、各種キーボタンからなるキー操作部１５、及び通信先に音声を送話する送話器１６が設けられている。上部筐体１ａと下部筐体１ｂとは、ヒンジ部１ｃにより開閉自在に結合されている。
【００３３】
図２は、図１に示す携帯電話機１が有する下部筐体１ｂの断面Ａである。下部筐体１ｂには、送信部、受信部、制御機能を有するＣＰＵ等が実装された電気基板３、及び携帯電話機１を駆動する電池４、及び充電回路２が実装された充電回路基板５が設けられている。
【００３４】
なお、電気基板３上には、発熱量の大きい無線回路６として、相手方無線機に送信信号を送出する電力増幅器等が実装されている。また、充電回路基板５上には電池４への充電を制御する充電回路２が実装されている。
【００３５】
さらに、電気基板３と充電回路基板５とは、電池４を間に挟んで配置され、かつフレキシブル基板１１により電気的に接続されている。本実施形態においては、フレキシブル基板１１と電気基板３とを接続する手段として着脱可能なコネクタ９を用い、組立て時の作業性の向上を図っている。ここで、フレキシブル基板１１と電気基板３とを着脱可能なコネクタ９により接続した場合、落下等による携帯電話機１の変形でコネクタ９が電気基板３から脱落する可能性がある。しかし、図８に示す位置１０に弛みを設けることにより、コネクタ９の脱落を防止している。なお、本実施形態においては、電気基板３と充電回路基板５とを接続する手段としてフレキシブル基板１１を用いたが、電池４を間に挟んで配置された電気基板３と充電回路基板５とを接続する手段としてリード線を用いることもできる。
【００３６】
上述の構成によれば、図４に示すように、ともに発熱量の多い無線回路６を実装する電気基板３と充電回路２を実装する充電回路基板５とが離れて配置されるため、発熱源が密集することによる携帯電話機内部の温度上昇を防止できる。したがって、携帯電話機の小型化により電気部品が密集した場合でも、携帯電話機の内部温度の上昇を抑制することができる。
【００３７】
また、携帯電話機１においては、電気基板３と充電回路基板５とを接続するフレキシブル基板１１を、コネクタ９が実装された電気基板３の面から見て背面側となる電池４の面上を迂回させ、充電回路基板５と接続している。これにより、携帯電話機１が落下等により下部筐体１ｂの形が変形した場合であっても（図５及び６に示す）、コネクタ９が電気基板３から脱落することを防止できる。
【００３８】
つまり、フレキシブル基板１１をコネクタ９が実装された電気基板３の面から見て表面側となる電池４の面上を通じて充電回路基板５と接続した場合、下部筐体１ｂが変形した際（図７に示す）、フレキシブル基板１１が両基板間において引っ張られ、コネクタ９が脱落する。しかし、本実施形態においては、フレキシブル基板１１が、コネクタ９が実装された電気基板３の面から見て背面側となる電池４の面上を通じて充電回路基板５と接続されている。そのため、下部筐体１ｂが変形した場合であっても（図５及び６に示す）、両基板間においてフレキシブル基板１１が引っ張られないため、電気基板３からのコネクタ９の脱落を防止できる。
【００３９】
なお、図２に示した下部筐体１ｂの構成においては、電気基板３のキー操作部１５側にコネクタ９を設けた構成となっているが、図９に示すように電気基板３のキー操作部１５側の背面にコネクタ９を設けることも可能である。その場合、フレキシブル基板１１は、図２に示した電池４の面とは反対側の面上を迂回して、充電回路基板５と接続される。
【００４０】
また、図２に示した下部筐体１ｂの構成において、コネクタ９は電気基板３に実装されているが、図１０に示すように充電回路基板５にコネクタ９を実装することも可能である。充電回路基板５は下部筐体１ｂの端部に設けられているため、携帯電話機１の落下等により下部筐体１ｂの中央部が変形しても、コネクタ９が充電回路基板５から脱落することを防止できる。
【００４１】
次に、電気基板３と充電回路基板５とを接続するフレキシブル基板１１の電池４上の形状について、図３を用いて説明する。
【００４２】
図３は、下部筐体１ｂ内におけるフレキシブル基板１１の具体的な形状を示す斜視図である。図３に示すように、先にも述べたように、フレキシブル基板１１はコネクタ９が接続されている電気基板３の背面側を通じて充電回路基板５と接続されている。さらに、フレキシブル基板１１は、電池４上でコの字を描く形状となっている。これは、通常、電池４は充電・放電の繰り返しにより、中央部分１３が膨らみ（図１３に示す）、フレキシブル基板１１を押し上げる。そのため、携帯電話機１は、電池４の膨張を考慮して、その厚みに余裕を持たせた形状となっている。しかし、フレキシブル基板１１が電池４上でコの字を描き、中央部分１３を迂回した構成をとることにより、電池４が膨張してフレキシブル基板１１を押し上げることを防止できるため、携帯電話機１の薄型化を図ることができる。
【００４３】
また、図３及び図８に示すように、コネクタ９とフレキシブル基板１１のコの字部分とを接続する位置１０に弛みを持たせることにより、フレキシブル基板１１が携帯電話機１の変形により充電回路基板５側に引っ張られにくくし、電気基板３からのコネクタ９の脱落をより効果的に防止することができる。
【００４４】
なお、図３及び図８においては、コネクタ９が設けられた電気基板３の面と反対側に弛みが設けられている。しかし、図１１に示すように、コネクタ９が設けられた電気基板３の面と同一面側に弛みを設けることにより、携帯電話機１の変形による電気基板３からのコネクタ９の脱落を防止することも可能である。また、コネクタ９が設けられた電気基板３の面と同一面側に弛みを設けた場合、図１２に示すように、コネクタ９が実装された電気基板３の面と同一面側となる電池４の面上を通じて、充電回路基板５と接続することもできる。つまり、コネクタ９が設けられた電気基板３の面と同一面に弛みを設けることにより、図７に示すように携帯電話機１が変形しても、フレキシブル基板１１が充電回路基板５側に引っ張られないため、コネクタ９が電気基板３から脱落することを防止できる。
【００４５】
上述の構成によれば、以下の効果が得られる。
【００４６】
まず、発熱量の多い無線回路６を実装する電気基板３と、同じく発熱量の多い充電回路２を実装する充電回路基板５とを電池４を介して配置することにより、下部筐体１ｂに実装される発熱部位の密集を回避できるため、携帯電話機１が小型化された場合における部分的な高温化を防止することができる。また、電気基板３と充電回路基板５とをフレキシブル基板１１により接続することにより、各基板の配置の自由度を向上させることができる。
【００４７】
また、フレキシブル基板１１をコネクタ９が実装された電気基板３の面から見て背面側となる電池４の面上を通じて充電回路基板５に接続することにより、下部筐体１ｂが変形した場合であっても、両基板間においてフレキシブル基板１１が引っ張られ、コネクタ９の電気基板３から脱落することを防止できる。
【００４８】
また、フレキシブル基板１１が電池４上でコの字を描き、膨張部分１３を迂回した構成をとることにより、電池４が膨張してフレキシブル基板１１を押し上げることを防止できるため、携帯電話機１の薄型化を図ることができる。
【００４９】
さらに、コネクタ９とフレキシブル基板１１のコの字部分とを接続する位置１０に弛みを持たせることにより、フレキシブル基板１１が携帯電話機１の変形により引っ張られにくくなり、電気基板３からのコネクタ９の脱落をより効果的に防止することができる。
【図面の簡単な説明】
【００５０】
【図１】本実施形態に係わる携帯電話機の斜視図である。
【図２】本実施形態に係わる携帯電話機が有する下部筐体の断面図である。
【図３】電気基板と充電回路基板とを接続するフレキシブル基板の電池上における形状である。
【図４】本実施形態に係わる携帯電話機が有する下部筐体の断面図である。
【図５】携帯電話機が落下等により下部筐体の形が変形した場合の断面図である。
【図６】携帯電話機が落下等により下部筐体の形が変形した場合の断面図である。
【図７】下部筐体の変形によりフレキシブル基板が両基板間において引っ張られ、コネクタが脱落した様子を示す図である。
【図８】コネクタとフレキシブル基板のコの字部分とを接続する位置に弛みを持たせ下部筐体の断面図である。
【図９】コネクタをキー操作部側の電気基板上に実装した下部筐体の断面図である。
【図１０】コネクタを充電回路基板上に実装した下部筐体の断面図である。
【図１１】コネクタに隣接してフレキシブル基板の弛みを設けた下部筐体の断面図である。
【図１２】コネクタに隣接してフレキシブル基板の弛みを設けた下部筐体の断面図である。
【図１３】電池中央部が膨張した場合の下部筐体の断面図である。
【図１４】従来の携帯電話機の斜視図である。
【図１５】従来の携帯電話機が有する下部筐体の断面図である。
【符号の説明】
【００５１】
１    携帯電話機
１ａ    上部筐体
１ｂ    下部筐体
１ｃ    ヒンジ部
２    充電回路
３    電気基板
４    電池
５    充電回路基板
６    無線回路
９    コネクタ
１０    弛み
１１    フレキシブル基板
１２    受話部
１３    膨張部
１４    表示部
１５    キー操作部
１６    送話部
【図１】
2007028094.tif 000003
【図２】
2007028094.tif 000004
【図３】
2007028094.tif 000005
【図４】
2007028094.tif 000006
【図５】
2007028094.tif 000007
【図６】
2007028094.tif 000008
【図７】
2007028094.tif 000009
【図８】
2007028094.tif 000010
【図９】
2007028094.tif 000011
【図１０】
2007028094.tif 000012
【図１１】
2007028094.tif 000013
【図１２】
2007028094.tif 000014
【図１３】
2007028094.tif 000015
【図１４】
2007028094.tif 000016
【図１５】
2007028094.tif 000017